(57)【要約】【課題】納骨が容易で、納骨費用を低減することができる墓用収納具および墓を提供する。【解決手段】納骨堂２が、側方に向かって開いた納骨用開口１４を有し、内部に納骨室１３を形成している。墓用収納具３が、内部に収納室２６を有し、収納室２６に前部開口２７および後部開口２８を有している。墓用収納具３は、前部開口２７を開閉可能に設けられた前部開閉部材２４と、後部開口２８を開閉可能に設けられた後部開閉部材２５とを有している。前部開閉部材２４は、収納室２６の外側に向かって開く観音開きの扉から成り、後部開閉部材２５は、収納室２６の内側に向かって開く片開きの扉から成っている。墓用収納具３は、後部開口２８が納骨用開口１４に面して連通するよう納骨用開口１４の前に配置されている。【選択図】図１
0003124312.tif 000002
【実用新案登録請求の範囲】
【請求項１】
内部に収納室を有し、前記収納室に前部開口および後部開口を有し、前記前部開口を開閉可能に設けられた前部開閉部材と、前記後部開口を開閉可能に設けられた後部開閉部材とを有することを、特徴とする墓用収納具。
【請求項２】
前記前部開閉部材は前記収納室の外側に向かって開く観音開きの扉から成り、前記後部開閉部材は前記収納室の内側に向かって開く観音開きの扉から成ることを、特徴とする請求項１記載の墓用収納具。
【請求項３】
底板と１対の側壁部材と蓋と被覆部材とを有し、
前記底板は前記収納室の床を形成しており、
各側壁部材は前記底板の上に、前記収納室の側壁を形成するよう所定の間隔をあけて互いに対向して設けられ、前記後部開口を挟む互いに対向する位置に上下方向に伸びて上端が開放したガイド溝を有し、
前記後部開閉部材は板状であり、各ガイド溝に沿ってスライドし各側壁部材の間を開閉可能に設けられ、
前記蓋は前記収納室の上方を被覆するよう各側壁部材の上に架け渡され、前記後部開口側の側縁に前記後部開閉部材が各ガイド溝に沿ってスライドするとき前記後部開閉部材を通過可能にする凹部を有することを、
特徴とする請求項１記載の墓用収納具。
【請求項４】
納骨堂と請求項１、２または３記載の墓用収納具とを有し、
前記納骨堂は側方に向かって開いた納骨用開口を有し、内部に納骨室を形成しており、
前記墓用収納具は前記後部開口が前記納骨用開口に面して連通するよう設けられていることを、
特徴とする墓。
【考案の詳細な説明】
【技術分野】
【０００１】
本考案は、墓用収納具および墓に関する。
【背景技術】
【０００２】
従来の墓では、床材や墓石、骨蓋、経机、花立、香炉、拝石などの石材を移動して納骨堂を開け、納骨を行っていた（例えば、特許文献１参照）。
【０００３】
【特許文献１】特開平１１−１４１１８９号公報
【考案の開示】
【考案が解決しようとする課題】
【０００４】
しかしながら、特許文献１記載のような従来の墓では、重い石材を動かさなければならないため、一人で納骨するのは困難であるという課題があった。また、このため、人手や時間を要し、納骨費用が嵩むという課題もあった。
【０００５】
本考案は、このような課題に着目してなされたもので、納骨が容易で、納骨費用を低減することができる墓用収納具および墓を提供することを目的とする。
【課題を解決するための手段】
【０００６】
上記目的を達成するために、本考案に係る墓用収納具は、内部に収納室を有し、前記収納室に前部開口および後部開口を有し、前記前部開口を開閉可能に設けられた前部開閉部材と、前記後部開口を開閉可能に設けられた後部開閉部材とを有することを、特徴とする。
【０００７】
本考案に係る墓用収納具は、好適には、後部開口が納骨堂の納骨用開口に連通するよう納骨用開口の前に置いて用いられる。納骨の際、前部開閉部材により前部開口を開き、後部開閉部材により後部開口を開ける。これにより、前部開口および後部開口を通して納骨用開口から納骨堂の内部に容易に納骨することができる。このため、重い石材を動かして納骨する従来の方法に比べて、納骨費用を低減することができる。
【０００８】
納骨用開口を覆うため、外部から納骨堂の開け方がわかりにくくなっている。また、納骨用開口に連通する後部開口が後部開閉部材により覆われるため、前部開口を開けて収納室の内部を覗いても納骨堂の開け方がわかりにくくなっている。このため、納骨室が荒らされにくい。なお、本考案に係る墓用収納具は、経机や香炉などから成っていてもよい。収納室の内部には、線香などの収納物を収納可能である。
【０００９】
本考案に係る墓用収納具で、前記前部開閉部材は前記収納室の外側に向かって開く観音開きの扉から成り、前記後部開閉部材は前記収納室の内側に向かって開く観音開きの扉から成ることが好ましい。この場合、前部開閉部材および後部開閉部材の扉を開いて容易に納骨することができる。なお、前部開閉部材は、観音開きの扉から成っていることが好ましい。
【００１０】
また、本考案に係る墓用収納具は、底板と１対の側壁部材と蓋と被覆部材とを有し、前記底板は前記収納室の床を形成しており、各側壁部材は前記底板の上に、前記収納室の側壁を形成するよう所定の間隔をあけて互いに対向して設けられ、前記後部開口を挟む互いに対向する位置に上下方向に伸びて上端が開放したガイド溝を有し、前記後部開閉部材は板状であり、各ガイド溝に沿ってスライドし各側壁部材の間を開閉可能に設けられ、前記蓋は前記収納室の上方を被覆するよう各側壁部材の上に架け渡され、前記後部開口側の側縁に前記後部開閉部材が各ガイド溝に沿ってスライドするとき前記後部開閉部材を通過可能にする凹部を有していてもよい。この場合、後部開閉部材を各ガイド溝に沿ってスライドさせて出し入れすることにより、後部開口を容易に開閉することができる。後部開閉部材はガイド溝に案内されるため、取り外しや取り付けが容易である。また、蓋の上に、凹部を覆う被覆部材を有していてもよい。この場合、被覆部材により、納骨堂の開け方を、よりわかりにくくすることができる。被覆部材は、後部開閉部材と一体的に設けられていてもよい。
【００１１】
本考案に係る墓は、納骨堂と本考案に係る墓用収納具とを有し、前記納骨堂は側方に向かって開いた納骨用開口を有し、内部に納骨室を形成しており、前記墓用収納具は前記後部開口が前記納骨用開口に面して連通するよう設けられていることを、特徴とする。
【００１２】
本考案に係る墓では、納骨の際、墓用収納具の前部開閉部材により前部開口を開き、後部開閉部材により後部開口を開ける。これにより、前部開口および後部開口を通して納骨用開口から納骨室の内部に容易に納骨することができる。このため、重い石材を動かして納骨する従来の方法に比べて、納骨費用を低減することができる。納骨用開口が墓用収納具により覆われるため、外部から納骨堂の開け方がわかりにくくなっている。また、納骨用開口に連通する後部開口が後部開閉部材により覆われるため、前部開口を開けて収納室の内部を覗いても納骨堂の開け方がわかりにくくなっている。このため、納骨室が荒らされにくい。
本明細書において、墓は、墓標であっても外柵であってもよい。
【考案の効果】
【００１３】
本考案によれば、納骨が容易で、納骨費用を低減することができる墓用収納具および墓を提供することができる。
【考案を実施するための最良の形態】
【００１４】
以下、図面に基づき本考案の実施の形態について説明する。
図１および図２は、本考案の第１の実施の形態の墓用収納具および墓を示している。
図１に示すように、墓１は、納骨堂２と墓用収納具３とを有している。
【００１５】
なお、図１に示すように、墓１は、その他に、地表に置かれた洋台部４と、洋台部４の上に載せられた中台部５と、中台部５の上に載せられた棹部６と、洋台部４の前で地表に置かれた拝石７と、拝石７の上の両端に載せられた１対の花立８と、中台部５の前で洋台部４の上に載せられた香炉９とを有している。これらの墓１の構成部材は、すべて石材から成っている。
【００１６】
図１に示すように、納骨堂２は、洋台部４の下の地中で函形に形成された納骨部１１を有している。納骨部１１は、上部に納骨口１２を有し、内部に納骨室１３を形成している。納骨堂２は、洋台部４および香炉９の前面に、前方に向かって開いた納骨用開口１４を有している。また、納骨堂２は、納骨用開口１４と納骨部１１の納骨口１２とを連通するよう、洋台部４、香炉９および中台部５を彫って形成された連通孔１５を有している。納骨堂２は、骨壺を両手で持って、納骨用開口１４から連通孔１５および納骨口１２を通って、納骨室１３に収容可能に形成されている。
【００１７】
図２に示すように、墓用収納具３は、経机から成り、底板２１と１対の側壁部材２２と蓋２３と前部開閉部材２４と後部開閉部材２５とを有している。底板２１は、矩形状で、所定の厚みを有している。底板２１は、上面の周縁部が面取りされている。各側壁部材２２は、矩形板状で、所定の厚みを有し、底板２１の奥行きよりやや短い奥行きを有している。各側壁部材２２は、底板２１の上に、底板２１の奥行き方向に沿って配置されている。各側壁部材２２は、底板２１の両端部に、所定の間隔を開けて、互いに対向して設けられている。各側壁部材２２は、背面側の側縁に沿って、互いに内側に向かって突出した袖部２２ａを有している。
【００１８】
蓋２３は、底板２１とほぼおなじ大きさの矩形状で、所定の厚みを有している。蓋２３は、上面の周縁部および側面の４つの角部が面取りされている。蓋２３は、各側壁部材２２に挟まれた空間の上方を被覆するよう、各側壁部材２２の上に架け渡されている。蓋２３は、前方の側面中央が、円弧状に突出した形状に形成されている。墓用収納具３は、底板２１、各側壁部材２２および蓋２３で囲まれた内側に収納室２６を有している。墓用収納具３は、収納室２６の前方に前部開口２７を有し、収納室２６の後方に後部開口２８を有している。
【００１９】
前部開閉部材２４は、２枚の板状部材２９を有し、前部開口２７を開閉可能に設けられた観音開きの扉から成っている。前部開閉部材２４は、収納室２６の外側に向かって開くようになっている。各板状部材２９は、各側壁部材２２の前方で、底板２１および蓋２３に回転可能に取り付けられている。各板状部材２９は、内側の側面に沿って、それぞれ前面または後面の互いに異なる面に沿って突出した係合部２９ａを有している。各板状部材２９は、前面および後面に模様が彫られている。前部開閉部材２４は、前部開口２７を閉じたとき、各板状部材２９の係合部２９ａが前後に重なり合うようになっている。
【００２０】
後部開閉部材２５は、矩形板状で、後部開口２８を開閉可能に設けられた片開きの扉から成っている。後部開閉部材２５は、収納室２６の内側に向かって開くようになっている。後部開閉部材２５は、収納室２６の内部の、一方の側壁部材２２の袖部２２ａの前方で、底板２１および蓋２３に回転可能に取り付けられている。後部開閉部材２５は、他方の側壁部材２２の袖部２２ａの前方で、後部開口２８を閉じるようになっている。
【００２１】
図１に示すように、墓用収納具３は、後部開口２８が納骨用開口１４に面して連通するよう、拝石７の上に載せられて納骨用開口１４の前に配置されている。墓用収納具３は、各花立８の間に配置されている。
【００２２】
次に、作用について説明する。
墓１では、納骨の際、墓用収納具３の前部開閉部材２４により前部開口２７を開き、収納室２６の内側から後部開閉部材２５を開いて後部開口２８を開ける。これにより、前部開口２７および後部開口２８を通して納骨用開口１４から納骨室１３の内部に容易に納骨することができる。このため、重い石材を動かして納骨する従来の方法に比べて、納骨費用を低減することができる。納骨用開口１４が墓用収納具３により覆われるため、外部から納骨堂２の開け方がわかりにくくなっている。また、納骨用開口１４に連通する後部開口２８が後部開閉部材２５により覆われるため、前部開口２７を開けて収納室２６の内部を覗いても納骨堂２の開け方がわかりにくくなっている。このため、納骨堂２が荒らされにくい。なお、収納室２６の内部には、線香などの収納物を収納可能である。
【００２３】
図３および図４は、本考案の第２の実施の形態の墓用収納具および墓を示している。
図３に示すように、墓５１は、納骨堂５２と墓用収納具５３とを有している。
【００２４】
なお、図３に示すように、墓５１は、その他に、地表に置かれた下台５４と、下台５４の上に載せられた中台５５と、中台５５の上に載せられた棹５６と、中台５５の前で下台５４の上に載せられた香炉５７とを有している。これらの墓５１の構成部材は、すべて石材から成っている。
【００２５】
図３に示すように、納骨堂５２は、下台５４の下の地中で函形に形成された納骨部６１を有している。納骨部６１は、上部に納骨口６２を有し、内部に納骨室６３を形成している。納骨堂５２は、下台５４および香炉５７の前面に、前方に向かって開いた納骨用開口６４を有している。また、納骨堂５２は、納骨用開口６４と納骨部６１の納骨口６２とを連通するよう、下台５４、香炉５７および中台５５を彫って形成された連通孔６５を有している。納骨堂５２は、骨壺を両手で持って、納骨用開口６４から連通孔６５および納骨口６２を通って、納骨室６３に収容可能に形成されている。
【００２６】
図４に示すように、墓用収納具５３は、花立付きの経机から成り、底板７１と１対の側壁部材７２と蓋７３と前部開閉部材７４と後部開閉部材７５と被覆部材７６とを有している。底板７１は、矩形状で、所定の厚みを有している。底板７１は、上面の周縁部および側面の４つの角部が面取りされている。各側壁部材７２は、角柱状で、底板７１の奥行きよりやや短い奥行きを有している。各側壁部材７２は、底板７１の上の両端部に、所定の間隔を開けて、互いに対向して設けられている。各側壁部材７２は、後部の互いに対向する位置に、上下方向に伸びて上端から下端まで連続して設けられたガイド溝７７を有している。各側壁部材７２は、前面および外側の側面が滑らかな曲面で形成されている。
【００２７】
蓋７３は、底板７１とほぼおなじ大きさの矩形状で、所定の厚みを有している。蓋７３は、下面の周縁部が滑らかな曲面で面取りされている。蓋７３は、各側壁部材７２に挟まれた空間の上方を被覆するよう、各側壁部材７２の上に架け渡されている。蓋７３は、各側壁部材７２の上方に位置する両端部に、花瓶を入れるための花立用穴７３ａが形成されている。蓋７３は、両端部に比べて、中央部の厚さが薄く形成されている。蓋７３は、中央部の後方側の側縁に、各ガイド溝７７を結ぶ線まで削られて、その線の上方を開放するよう設けられた凹部（図示せず）を有している。凹部は、各ガイド溝７７に連通し、後部開閉部材７５が各ガイド溝７７に沿ってスライドするとき後部開閉部材７５を通過可能にする。墓用収納具５３は、底板７１、各側壁部材７２および蓋７３で囲まれた内側に収納室７８を有している。墓用収納具５３は、収納室７８の前方に前部開口７９を有し、収納室７８の後方に後部開口８０を有している。
【００２８】
前部開閉部材７４は、２枚の板状部材８１を有し、前部開口７９を開閉可能に設けられた観音開きの扉から成っている。前部開閉部材７４は、収納室７８の外側に向かって開くようになっている。各板状部材８１は、前部開口７９を挟む各側壁部材７２の側縁に沿って、底板７１および蓋７３に回転可能に取り付けられている。各板状部材８１は、内側の側面に沿って、それぞれ前面または後面の互いに異なる面に沿って突出した係合部８１ａを有している。前部開閉部材７４は、前部開口７９を閉じたとき、各板状部材８１の係合部８１ａが前後に重なり合うようになっている。
【００２９】
後部開閉部材７５は、矩形板から成り、各ガイド溝７７に沿ってスライドさせて、蓋７３の凹部を通して上方に取り出し可能に設けられている。後部開閉部材７５は、各ガイド溝７７に挿入して取り付けられたとき、後部開口８０を塞ぐ大きさに形成されている。後部開閉部材７５は、各ガイド溝７７に沿ってスライドさせて出し入れすることにより、後部開口８０を開閉可能になっている。
【００３０】
被覆部材７６は、細長く、後部開閉部材７５より厚い板状を成している。被覆部材７６は、蓋７３の凹部の上を覆うよう、蓋７３の上に着脱可能に取り付けられている。被覆部材７６は、蓋７３の上に取り付けたとき隙間が開かないよう、両側縁および下縁が蓋７３の中央部の形状に沿うように形成されている。また、被覆部材７６は、上縁が円弧状に形成されている。
【００３１】
図３に示すように、墓用収納具５３は、後部開口８０が納骨用開口６４に面して連通するよう、納骨堂５２の上および地表に置かれて納骨用開口６４の前に配置されている。
【００３２】
次に、作用について説明する。
墓５１では、納骨の際、墓用収納具５３の前部開閉部材７４により前部開口７９を開き、被覆部材７６を取り外し、後部開閉部材７５を取り出して後部開口８０を開ける。これにより、前部開口７９および後部開口８０を通して納骨用開口６４から納骨室６３に納骨することができる。このため、重い石材を動かして納骨する従来の方法に比べて、納骨費用を低減することができる。後部開閉部材７５はガイド溝７７に案内されるため、取り外しや取り付けが容易である。納骨用開口６４が墓用収納具５３により覆われるため、外部から納骨堂５２の開け方がわかりにくくなっている。また、納骨用開口１４に連通する後部開口８０が後部開閉部材７５により覆われるため、前部開口７９を開けて収納室７８の内部を覗いても納骨堂５２の開け方がわかりにくくなっている。このため、納骨堂５２が荒らされにくい。なお、収納室７８の内部には、線香などの収納物を収納可能である。
【図面の簡単な説明】
【００３３】
【図１】本考案の第１の実施の形態の墓および墓用収納具を示す（ａ）斜視図、（ｂ）右側面図である。
【図２】図１に示す墓用収納具の（ａ）前部開口を閉じた使用状態を示す斜視図、（ｂ）前部開口および後部開口を開いた使用状態を示す斜視図、（ｃ）後部開口を開いている使用状態を示す正面図である。
【図３】本考案の第２の実施の形態の墓および墓用収納具を示す（ａ）斜視図、（ｂ）右側面図である。
【図４】図３に示す墓用収納具の（ａ）前部開口を閉じた使用状態を示す斜視図、（ｂ）前部開口を開いた使用状態を示す斜視図、（ｃ）後部開口を開いている使用状態を示す正面図である。
【符号の説明】
【００３４】
１    墓
２    納骨堂
３    墓用収納具
４    洋台部
５    中台部
６    棹部
７    拝石
８    花立
９    香炉
１１  納骨部
１２  納骨口
１３  納骨室
１４  納骨用開口
１５  連通孔
２１  底板
２２  側壁部材
２３  蓋
２４  前部開閉部材
２５  後部開閉部材
２６  収納室
２７  前部開口
２８  後部開口
【図１】
0003124312.tif 000003
【図２】
0003124312.tif 000004
【図３】
0003124312.tif 000005
【図４】
0003124312.tif 000006